(57)【要約】【課題】画像処理装置の使用時間を利用して健康関連情報を報知可能な情報処理システム及び健康関連情報の報知方法を提供すること。【解決手段】情報処理システム１００は、ユーザーの健康状態に関する健康関連情報を取得する健康状態取得部１１１と、ユーザーが画像処理装置２０にログインする場合に、画像処理装置２０から予め定められた特定範囲における人の存否を検出する検出処理部２５３と、検出処理部２５３によって人の存在が検出された場合に、画像処理装置２０にログインするユーザーに対応する前記健康関連情報を報知する報知処理部２５４と、を備える。【選択図】図１
2017046220.tif 000002
【特許請求の範囲】
【請求項１】
ユーザーの健康状態に関する健康関連情報を取得する健康状態取得部と、
ユーザーが画像処理装置にログインする場合に、前記画像処理装置から予め定められた特定範囲における人の存否を検出する検出処理部と、
前記検出処理部によって人の存在が検出された場合に、前記画像処理装置にログインするユーザーに対応する前記健康関連情報を前記画像処理装置又は前記画像処理装置にログインするユーザーに予め対応付けられた携帯端末に報知させる報知処理部と、
を備える情報処理システム。
【請求項２】
前記検出処理部は、前記特定範囲において前記画像処理装置にログインするユーザーに対応する前記携帯端末の存在が検出された場合に、前記特定範囲に人が存在すると判断する請求項１に記載の情報処理システム。
【請求項３】
前記携帯端末及び前記画像処理装置を備え、
前記携帯端末は、前記健康状態取得部を備え、
前記画像処理装置は、前記検出処理部と、前記報知処理部とを備える請求項１又は２に記載の情報処理システム。
【請求項４】
前記画像処理装置は、画像データに基づいて画像を形成可能な画像形成部を備え、
前記報知処理部は、前記画像形成部を用いた印刷処理が実行される場合に前記健康関連情報を報知させる請求項３に記載の情報処理システム。
【請求項５】
前記報知処理部は、前記印刷処理における印刷枚数が予め定められた基準枚数以上である場合に前記健康関連情報を報知させる請求項４に記載の情報処理システム。
【請求項６】
前記報知処理部により報知される前記健康関連情報が予め定められた判定条件を充足するか否かを判定する判定処理部と、
前記判定処理部により前記健康関連情報が前記判定条件を充足しないと判定された場合に、前記判定条件に対応する予め定められたメッセージを取得するメッセージ取得部と、を更に備え、
前記報知処理部は、前記メッセージ取得部により前記メッセージが取得される場合には、前記健康関連情報と共に前記メッセージを報知させる請求項１〜５のいずれかに記載の情報処理システム。
【請求項７】
前記メッセージ取得部は、前記判定条件に対応する複数の前記メッセージから現在の時刻に対応する前記メッセージを取得する請求項６に記載の情報処理システム。
【請求項８】
前記報知処理部により報知される前記健康関連情報を記憶部に記憶させる記憶処理部を更に備え、
前記報知処理部は、前記メッセージ取得部により前記メッセージが取得される場合には、前記健康関連情報及び前記メッセージと共に前記記憶部に記憶されている前回報知された前記健康関連情報を報知させる請求項６又は７に記載の情報処理システム。
【請求項９】
前記健康関連情報は、歩数、脈拍、血圧、体重、睡眠情報、及び姿勢情報のいずれか一つ又は複数を含む請求項１〜８のいずれかに記載の情報処理システム。
【請求項１０】
ユーザーの健康状態に関する健康関連情報を取得する第１ステップと、
ユーザーが画像処理装置にログインする場合に、前記画像処理装置から予め定められた特定範囲における人の存否を検出する第２ステップと、
前記第２ステップによって人の存在が検出された場合に、前記画像処理装置にログインするユーザーに対応する前記健康関連情報を前記画像処理装置又は前記画像処理装置にログインするユーザーに予め対応付けられた携帯端末に報知させる第３ステップと、
を含む健康関連情報の報知方法。
【発明の詳細な説明】
【技術分野】
【０００１】
本発明は、情報処理システム及び健康関連情報の報知方法に関する。
【背景技術】
【０００２】
歩数、及び脈拍などのユーザーの健康状態に関する健康関連情報を取得可能なスマートフォン又はウェアラブル端末などの携帯端末が知られている。この種の携帯端末は、例えば、端末内部に搭載されたセンサーを用いてユーザーの健康関連情報を取得し、取得された健康関連情報をユーザーに報知する。これにより、ユーザーは報知された健康関連情報の内容に基づいて自己の健康状態の管理を行うことが可能である。また、プリンターなどの画像処理装置との間でデータ通信を実行可能な携帯端末が知られている（例えば、特許文献１参照）。
【先行技術文献】
【特許文献】
【０００３】
【特許文献１】特開２００６−２８７８６０号公報
【発明の概要】
【発明が解決しようとする課題】
【０００４】
ところで、ユーザーが画像処理装置の設置場所で前記画像処理装置を操作して印刷を行う場合、前記画像処理装置によって実行される印刷処理が終了するまでの間、ユーザーにおいて待ち時間が発生する。
【０００５】
本発明の目的は、画像処理装置の使用時間を利用して健康関連情報を報知可能な情報処理システム及び健康関連情報の報知方法を提供することにある。
【課題を解決するための手段】
【０００６】
本発明の一の局面に係る情報処理システムは、健康状態取得部と、検出処理部と、報知処理部とを備える。前記健康状態取得部は、ユーザーの健康状態に関する健康関連情報を取得する。前記検出処理部は、ユーザーが画像処理装置にログインする場合に、前記画像処理装置から予め定められた特定範囲における人の存否を検出する。前記報知処理部は、前記検出処理部によって人の存在が検出された場合に、前記画像処理装置にログインするユーザーに対応する前記健康関連情報を前記画像処理装置又は前記画像処理装置にログインするユーザーに予め対応付けられた携帯端末に報知させる。
【０００７】
本発明の他の局面に係る健康関連情報の報知方法は、第１ステップ、第２ステップ、及び第３ステップを含む。前記第１ステップでは、ユーザーの健康状態に関する健康関連情報が取得される。前記第２ステップでは、ユーザーが画像処理装置にログインする場合に、前記画像処理装置から予め定められた特定範囲における人の存否が検出される。前記第３ステップでは、前記第２ステップによって人の存在が検出された場合に、前記画像処理装置にログインするユーザーに対応する前記健康関連情報が前記画像処理装置又は前記画像処理装置にログインするユーザーに予め対応付けられた携帯端末によって報知される。
【発明の効果】
【０００８】
本発明によれば、画像処理装置の使用時間を利用して健康関連情報を報知可能な情報処理システム及び健康関連情報の報知方法が実現される。
【図面の簡単な説明】
【０００９】
【図１】図１は、本発明の実施形態に係る情報処理システムの構成を示すブロック図である。
【図２】図２は、本発明の実施形態に係る情報処理システムに含まれる画像処理装置の構成を示す図である。
【図３】図３は、本発明の実施形態に係る情報処理システムで実行される報知タイミング制御処理の一例を示すフローチャートである。
【図４】図４は、本発明の実施形態に係る情報処理システムで実行される報知処理の一例を示すフローチャートである。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［情報処理システム１００］
本発明の実施形態に係る情報処理システム１００は、図１に示すように、携帯端末１０と、画像処理装置２０とを備える。情報処理システム１００では、携帯端末１０及び画像処理装置２０の間で無線によるデータ通信が実行される。
【００１２】
［携帯端末１０］
携帯端末１０は、画像処理装置２０のユーザーなどによって持ち運ばれるスマートフォン又はウェアラブル端末などの移動通信端末である。具体的に、携帯端末１０は、図１に示すように、制御部１１、操作表示部１２、通信部１３、及び記憶部１４を備える。なお、携帯端末１０は、携帯電話、タブレット端末、ノートパソコン、又はＰＤＡなどであってもよい。
【００１３】
操作表示部１２は、制御部１１からの制御指示に応じて各種の情報を表示する液晶ディスプレーなどの表示部、及びユーザーの操作に応じて制御部１１に各種の情報を入力するタッチパネルなどの操作部を有する。
【００１４】
通信部１３は、画像処理装置２０などの外部の通信機器との間で、無線によるデータ通信を実行可能な通信インターフェイスである。例えば、通信部１３は、前記通信機器との間でＢｌｕｅｔｏｏｔｈ（登録商標）によって規定された所定の通信プロトコルに従って無線によるデータ通信を実行する。例えば、通信部１３は、クラス２と称される電波強度（２．５ｍＷ）で、携帯端末１０から約１０ｍの範囲に存在する前記通信機器との間でＢｌｕｅｔｏｏｔｈによる無線通信を実行可能である。なお、通信部１３は、前記通信機器との間で無線ＬＡＮの通信規格に従った無線通信を実行してもよい。
【００１５】
ここで、携帯端末１０では、予め画像処理装置２０との間で、Ｂｌｕｅｔｏｏｔｈ通信における通信相手の認証手続であるペアリングが実行されている。前記ペアリングでは、Ｂｌｕｅｔｏｏｔｈ通信を行う機器相互間で、通信相手の認証のために必要となるペアリングＩＤが交換される。そして、前記ペアリングにより携帯端末１０が取得した画像処理装置２０の前記ペアリングＩＤが、記憶部１４に記憶されている。これにより、その後、携帯端末１０と画像処理装置２０との間でＢｌｕｅｔｏｏｔｈによる無線通信が可能である。
【００１６】
記憶部１４は、フラッシュメモリー等の不揮発性の記憶部であり、制御部１１によるデータの読み書きが可能である。なお、記憶部１４には、画像処理装置２０の前記ペアリングＩＤが記憶されている。
【００１７】
制御部１１は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部１１では、前記ＣＰＵにより前記ＲＯＭに予め記憶された各種の制御プログラムが実行される。これにより、携帯端末１０が制御部１１により統括的に制御される。なお、制御部１１は、集積回路（ＡＳＩＣ）などの電子回路で構成されたものであってもよく、携帯端末１０を統括的に制御するメイン制御部とは別に設けられた制御部であってもよい。
【００１８】
また、制御部１１は、図１に示すように、健康状態取得部１１１を含む。具体的に、制御部１１は、前記ＣＰＵを用いて前記ＲＯＭに記憶されている制御プログラムを実行する。これにより、制御部１１は、健康状態取得部１１１として機能する。なお、制御部１１は、前記ＣＰＵを用いて記憶部１４にインストールされるアプリケーションプログラムを実行することで、健康状態取得部１１１として機能してもよい。
【００１９】
健康状態取得部１１１は、ユーザーの健康状態に関する健康関連情報を取得する。例えば、前記健康関連情報には、ユーザーの歩数、脈拍、血圧、体重、睡眠情報、及び姿勢情報が含まれる。例えば、前記睡眠情報には、ユーザーの就寝時刻及び起床時刻が含まれる。また、前記姿勢情報には、鉛直方向に対するユーザーの上半身の傾きが含まれる。
【００２０】
例えば、健康状態取得部１１１は、携帯端末１０に搭載される加速度センサー及び光センサーなどの不図示のセンサーを用いて、ユーザーの歩数、脈拍、血圧、及び姿勢情報を検出し、検出された前記健康関連情報を記憶部１４に記憶させる。例えば、健康状態取得部１１１は、前記センサーで検出されるユーザーの１日当たりの歩数をカウントして、カウントされたユーザーの歩数を記憶部１４に記憶させる。また、健康状態取得部１１１は、予め定められたタイミング毎にユーザーの脈拍及び血圧を検出して、検出されたユーザーの脈拍及び血圧を記憶部１４に記憶させる。また、健康状態取得部１１１は、予め定められたタイミング毎に鉛直方向に対するユーザーの上半身の傾き（前記姿勢情報）を検出して、検出された前記姿勢情報を記憶部１４に記憶させる。
【００２１】
また、健康状態取得部１１１は、ユーザー操作に応じてユーザーの就寝時刻及び起床時刻（前記睡眠情報）を記録し、記録された前記睡眠情報を記憶部１４に記憶させる。なお、健康状態取得部１１１は、前記センサーで検出されるユーザーの就寝中の活動量等からユーザーの睡眠状態（レム睡眠であるか、ノンレム睡眠であるか等）を判定して、判定結果を前記睡眠情報として記憶部１４に記憶させてもよい。
【００２２】
また、健康状態取得部１１１は、外部の体重計と無線によるデータ通信を実行して前記体重計で計測されるユーザーの体重を取得し、取得されたユーザーの体重を記憶部１４に記憶させる。なお、健康状態取得部１１１は、外部の検出装置と無線によるデータ通信を実行して、前記検出装置で検出されるユーザーの歩数、脈拍、血圧、前記姿勢情報、及び前記睡眠情報を取得してもよい。
【００２３】
情報処理システム１００では、健康状態取得部１１１によって取得された前記健康関連情報がユーザーに報知される。これにより、ユーザーは報知された前記健康関連情報の内容に基づいて自己の健康状態の管理を行うことが可能である。なお、前記健康関連情報の報知方法については後述する。
【００２４】
［画像処理装置２０］
画像処理装置２０は、画像データに基づいて画像を形成するプリント機能と共に、スキャン機能、ファクシミリ機能、及びコピー機能などの複数の機能を有する複合機である。具体的に、画像処理装置２０は、図１及び図２に示すように、ＡＤＦ２１、画像読取部２２、画像形成部２３、給紙部２４、制御部２５、操作表示部２６、通信部２７、及び記憶部２８を備える。なお、画像処理装置２０は、スキャナー、プリンター装置、ファクシミリ装置、又はコピー機などであってもよい。
【００２５】
ＡＤＦ２１は、原稿セット部、複数の搬送ローラー、原稿押さえ、及び排紙部を備え、画像読取部２２によって読み取られる原稿を搬送する自動原稿搬送装置である。画像読取部２２は、原稿台、光源、複数のミラー、光学レンズ、及びＣＣＤ（Charge Coupled Device）を備え、原稿から画像データを読み取る。
【００２６】
画像形成部２３は、画像読取部２２で読み取られた画像データ又は外部のパーソナルコンピューター等の情報処理装置から入力された画像データに基づいて、電子写真方式でカラー又はモノクロの画像を形成する画像形成処理（印刷処理）を実行することが可能である。具体的に、画像形成部２３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。そして、画像形成部２３では、給紙部２４から供給されるシートにカラー又はモノクロの画像が形成されて、画像形成後の前記シートが前記排紙トレイに排出される。
【００２７】
制御部２５は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部２５では、前記ＣＰＵにより前記ＲＯＭに予め記憶された各種の制御プログラムが実行される。これにより、画像処理装置２０が制御部２５により統括的に制御される。なお、制御部２５は、集積回路（ＡＳＩＣ）などの電子回路で構成されたものであってもよく、画像処理装置２０を統括的に制御するメイン制御部とは別に設けられた制御部であってもよい。
【００２８】
また、制御部２５は、図１に示すように、認証処理部２５１及び印刷処理部２５２を含む。具体的に、制御部２５は、前記ＣＰＵを用いて前記ＲＯＭに記憶されている前記制御プログラムを実行する。これにより、制御部２５は、認証処理部２５１及び印刷処理部２５２として機能する。
【００２９】
認証処理部２５１は、予め設定された認証操作に応じてユーザーを認証するログイン処理を実行する。具体的に、認証処理部２５１は、操作表示部２６に前記認証操作を行うことが可能な認証画面を必要に応じて表示させる。そして、認証処理部２５１は、前記認証画面においてユーザーによる操作表示部２６に対するログイン情報の入力操作を受け付ける。前記ログイン情報は、ユーザー名及びパスワードである。
【００３０】
その後、認証処理部２５１は、操作表示部２６から入力された前記ログイン情報が記憶部２８に記憶されている認証情報に含まれている場合に認証完了と判断し、ユーザーを画像処理装置２０にログインさせる。なお、認証処理部２５１は、操作表示部２６に対するログアウト操作が行われた場合、予め設定された時間が経過した場合、又は他のユーザーをログインさせる場合に、現在ログイン中のユーザーをログアウトさせるログアウト処理を実行する。
【００３１】
印刷処理部２５２は、原稿の画像データに基づいて前記印刷処理を実行する。具体的に、印刷処理部２５２は、操作表示部２６に対するユーザー操作によりＡＤＦ２１の前記原稿セット部に載置されている原稿の印刷が指示された場合に、ＡＤＦ２１及び画像読取部２２を制御して原稿から画像データを読み取る画像読取処理を実行する。そして、印刷処理部２５２は、画像形成部２３及び給紙部２４を制御して、前記画像読取処理によって読み取られた原稿の画像データを印刷する前記印刷処理を実行する。
【００３２】
また、印刷処理部２５２は、操作表示部２６に対するユーザー操作により画像読取部２の前記原稿台に載置されている原稿の画像データの印刷が指示された場合に、画像読取部２２を制御して原稿から画像データを読み取る前記画像読取処理を実行する。そして、印刷処理部２５２は、画像形成部２３及び給紙部２４を制御して、前記画像読取処理によって読み取られた原稿の画像データを印刷する前記印刷処理を実行する。
【００３３】
また、印刷処理部２５２は、操作表示部２６に対するユーザー操作により記憶部２８に記憶されている原稿の画像データの印刷が指示された場合に、画像形成部２３及び給紙部２４を制御して、記憶部２８から読み出される原稿の画像データを印刷する前記印刷処理を実行する。
【００３４】
操作表示部２６は、制御部２５からの制御指示に応じて各種の情報を表示する液晶ディスプレーなどの表示部、及びユーザーの操作に応じて制御部２５に各種の情報を入力するタッチパネルなどの操作部を有する。
【００３５】
通信部２７は、携帯端末１０などの外部の通信機器との間で、有線又は無線によるデータ通信を実行可能な通信インターフェイスである。例えば、通信部２７は、前記通信機器との間でＢｌｕｅｔｏｏｔｈによって規定された所定の通信プロトコルに従って無線によるデータ通信を実行する。例えば、通信部２７は、携帯端末１０と同様にクラス２の電波強度で、画像処理装置２０から約１０ｍの範囲に存在する前記通信機器との間でＢｌｕｅｔｏｏｔｈによる無線通信を実行可能である。ここで、画像処理装置２０では、予め携帯端末１０との間で前記ペアリングが実行されており、携帯端末１０の前記ペアリングＩＤが記憶部２８に記憶されている。なお、通信部２７は、前記通信機器との間でインターネット又はＬＡＮ等の通信ネットワークを介して有線又は無線によるデータ通信を実行してもよい。
【００３６】
記憶部２８は、ソリッドステートドライブ（ＳＳＤ）又はハードディスクドライブ（ＨＤＤ）などの記憶部である。記憶部２８には、ユーザーの前記認証情報が記憶されている。また、記憶部２８には、携帯端末１０の前記ペアリングＩＤが記憶されている。
【００３７】
ここで、情報処理システム１００では、ユーザーの前記認証情報が、予めそのユーザーの所持する携帯端末１０の前記ペアリングＩＤに対応付けられて登録されている。具体的に、画像処理装置２０の記憶部２８では、前記認証情報と前記ペアリングＩＤとが対応付けられて記憶されている。なお、前記ペアリングＩＤに替えて、携帯端末１０のＩＰアドレス又はＭＡＣアドレスが、前記認証情報と対応付けられて記憶部２８に記憶されていてもよい。
【００３８】
ところで、ユーザーが画像処理装置２０の設置場所で画像処理装置２０の操作表示部２６を操作して印刷を行う場合、画像処理装置２０によって実行される前記印刷処理が終了するまでの間、ユーザーにおいて待ち時間が発生する。これに対し、本発明の実施形態に係る情報処理システム１００では、以下に説明するように、画像処理装置２０の使用時間を利用して前記健康関連情報を報知することが可能である。
【００３９】
具体的に、記憶部２８には、制御部２５の前記ＣＰＵに後述の報知タイミング制御処理（図３のフローチャート参照）、及び報知処理（図４のフローチャート参照）を実行させるための報知タイミング制御プログラムが予め記憶されている。なお、前記報知タイミング制御プログラムは、ＣＤ、ＤＶＤ、フラッシュメモリーなどのコンピューター読み取り可能な記録媒体に記録されており、前記記録媒体から読み取られて記憶部２８等にインストールされてもよい。
【００４０】
そして、制御部２５は、図１に示すように、検出処理部２５３、報知処理部２５４、判定処理部２５５、メッセージ取得部２５６、転送処理部２５７、及び記憶処理部２５８を更に含む。具体的に、制御部２５は、前記ＣＰＵを用いて記憶部２８に記憶されている前記報知タイミング制御プログラムを実行する。これにより、制御部２５は、検出処理部２５３、報知処理部２５４、判定処理部２５５、メッセージ取得部２５６、転送処理部２５７、及び記憶処理部２５８として機能する。
【００４１】
検出処理部２５３は、ユーザーが画像処理装置２０にログインする場合に、画像処理装置２０から予め定められた特定範囲における人の存否を検出する。
【００４２】
例えば、検出処理部２５３は、前記特定範囲において画像処理装置２０にログインするユーザーに対応する携帯端末１０の存在が検出された場合に、前記特定範囲に人が存在すると判断する。
【００４３】
例えば、検出処理部２５３は、認証処理部２５１により前記ログイン処理が実行される場合に、通信部２７を制御してＢｌｕｅｔｏｏｔｈの通信方式に従った制御信号を画像処理装置２０の周囲に送出させて、Ｂｌｕｅｔｏｏｔｈの通信範囲内におけるＢｌｕｅｔｏｏｔｈ通信可能な機器を検出する。そして、検出処理部２５３は、検出された機器から取得される前記ペアリングＩＤと、認証処理部２５１によりログインしたユーザーの前記認証情報に対応する携帯端末１０の前記ペアリングＩＤとが一致する場合に、前記特定範囲において画像処理装置２０にログインするユーザーに対応する携帯端末１０の存在が検出されたと判断する。ここに、通信部２７により実行されるＢｌｕｅｔｏｏｔｈ通信の通信範囲が、本発明における予め定められた特定範囲の一例である。
【００４４】
また、検出処理部２５３は、認証処理部２５１により前記ログイン処理が実行される場合に、通信部２７を制御して無線ＬＡＮの通信方式に従った制御信号を画像処理装置２０の周囲に送出させて、無線ＬＡＮの通信範囲内における無線ＬＡＮ通信可能な機器を検出してもよい。この場合、検出処理部２５３は、検出された機器から取得される前記ＩＰアドレス又は前記ＭＡＣアドレスと、認証処理部２５１によりログインしたユーザーの前記認証情報に対応する携帯端末１０の前記ＩＰアドレス又は前記ＭＡＣアドレスとが一致する場合に、前記特定範囲において画像処理装置２０にログインするユーザーに対応する携帯端末１０の存在が検出されたと判断する。ここに、通信部２７により実行される無線ＬＡＮ通信の通信範囲が、本発明における予め定められた特定範囲の他の一例である。
【００４５】
なお、検出処理部２５３は、人感センサーを用いて画像処理装置２０から予め定められた前記特定範囲における人の存否を検出してもよい。この場合、前記人感センサーによる人の検知範囲が、本発明における予め定められた特定範囲の他の一例である。
【００４６】
報知処理部２５４は、検出処理部２５３によって人の存在が検出された場合に、画像処理装置２０にログインするユーザーに対応する前記健康関連情報を報知する。
【００４７】
ここで、報知処理部２５４は、画像形成部２３を用いた前記印刷処理が実行される場合であって、前記印刷処理における印刷枚数が予め定められた基準枚数以上である場合に、前記健康関連情報を報知する。例えば、画像処理装置２０では、前記基準枚数が１０枚に設定されている。なお、前記基準枚数は、操作表示部２６に対するユーザー操作により任意に設定されてよい。
【００４８】
具体的に、報知処理部２５４は、検出処理部２５３によって前記特定範囲において画像処理装置２０にログインするユーザーに対応する携帯端末１０の存在が検出された場合に、検出された携帯端末１０から前記健康関連情報を取得する。例えば、報知処理部２５４は、昨日の歩数、昨晩の前記睡眠情報、検出タイミングが直近の脈拍、血圧、体重、及び前記姿勢情報を携帯端末１０から取得する。
【００４９】
例えば、報知処理部２５４は、取得された前記健康関連情報を操作表示部２６に表示させて報知する。なお、報知処理部２５４は、取得された前記健康関連情報をシートに印刷して報知してもよい。また、報知処理部２５４は、前記印刷処理において片面印刷が行われる場合に、画像が印刷されないシートの裏面に前記健康関連情報を印刷してもよい。また、報知処理部２５４は、操作表示部２６に対するユーザーの選択操作に応じて、上記いずれかの方法により前記健康関連情報を報知してもよい。なお、報知処理部２５４による報知機能は、操作表示部２６に対するユーザー操作に応じて、その有効無効が切り替えられるものであってよい。
【００５０】
判定処理部２５５は、報知処理部２５４により報知される前記健康関連情報が予め定められた判定条件を充足するか否かを判定する。ここで、前記判定条件は、前記健康関連情報によって示されるユーザーの健康状態の良否の判定に用いられる条件である。
【００５１】
例えば、前記健康関連情報のうち、歩数に対応する前記判定条件は、携帯端末１０から取得される歩数が予め定められた基準値を超えていることである。また、前記健康関連情報のうち、前記睡眠情報に対応する前記判定条件は、携帯端末１０から取得される前記睡眠情報から算出される睡眠時間が予め定められた基準時間を超えていることである。また、前記健康関連情報のうち、前記姿勢情報に対応する前記判定条件は、携帯端末１０から取得される鉛直方向に対するユーザーの上半身の傾きが予め定められた基準角度未満であることである。
【００５２】
例えば、情報処理システム１００では、前記健康関連情報各々に対応する前記判定条件が、予め画像処理装置２０の記憶部２８に記憶されている。判定処理部２５５は、報知処理部２５４により前記健康関連情報が取得された場合に、記憶部２８から前記健康関連情報各々に対応する前記判定条件を読み出す。そして、判定処理部２５５は、携帯端末１０から取得された前記健康関連情報各々が、記憶部２８から読み出された前記判定条件を充足するか否かを判定する。
【００５３】
なお、判定処理部２５５は、外部の情報処理装置から前記健康関連情報各々に対応する前記判定条件を取得してもよい。また、判定処理部２５５は、一つの前記健康関連情報に対応する複数の前記判定条件から、ユーザーの性別、年齢、及び身長等に応じた内容の前記判定条件を取得してもよい。例えば、判定処理部２５５は、予め記憶部２８に記憶されたユーザーの性別、年齢、及び身長等を含む個人データを読み出して、読み出した前記個人データに基づいて、一つの前記健康関連情報に対応する複数の前記判定条件から前記個人データの内容に応じた前記判定条件を取得してもよい。
【００５４】
メッセージ取得部２５６は、判定処理部２５５により前記健康関連情報が前記判定条件を充足しないと判定された場合に、前記判定条件に対応する予め定められたメッセージを取得する。例えば、前記メッセージには、前記判定条件を充足しない旨及び前記健康関連情報の改善に寄与する具体的方法の提示が含まれる。
【００５５】
例えば、情報処理システム１００では、前記判定条件各々に対応する前記メッセージが、予め画像処理装置２０の記憶部２８に記憶されている。メッセージ取得部２５６は、判定処理部２５５により前記健康関連情報が前記判定条件を充足しないと判定された場合に、記憶部２８から前記判定条件を充足しないと判定された前記健康関連情報に対応する前記メッセージを取得する。
【００５６】
例えば、メッセージ取得部２５６は、判定処理部２５５により携帯端末１０から取得される歩数が前記判定条件を充足しない（運動不足）と判定された場合に、通勤時における徒歩での移動量の増加を促す旨の前記メッセージを取得する。また、メッセージ取得部２５６は、判定処理部２５５により携帯端末１０から取得される最高血圧が前記判定条件を充足しない（高血圧）と判定された場合に、塩分が控え目の食事内容を紹介する旨の前記メッセージを取得する。
【００５７】
また、メッセージ取得部２５６は、判定処理部２５５により携帯端末１０から取得される体重が前記判定条件を充足しない（肥満）と判定された場合に、通勤時における徒歩での移動量の増加を促すと共にカロリーが控え目の食事内容を紹介する旨の前記メッセージを取得する。また、メッセージ取得部２５６は、判定処理部２５５により携帯端末１０から取得される前記姿勢情報が前記判定条件を充足しない（猫背）と判定された場合に、姿勢の改善に寄与する運動方法を紹介する旨の前記メッセージを取得する。
【００５８】
ここで、メッセージ取得部２５６は、一つの前記判定条件に対応する複数の前記メッセージのうち、現在の時刻に応じた内容の前記メッセージを記憶部２８から取得する。例えば、画像処理装置２０では、制御部２５によって時刻が計測されている。メッセージ取得部２５６は、制御部５により計測される時刻を参照して、一つの前記判定条件に対応する複数の前記メッセージのうち、現在の時刻に応じた内容の前記メッセージを記憶部２８から取得する。
【００５９】
例えば、メッセージ取得部２５６は、判定処理部２５５により携帯端末１０から取得される体重が前記判定条件を充足しない（肥満）と判定された場合であって、現在の時刻が午後である場合に、帰宅時における徒歩での移動量の増加を促すと共にカロリーが控え目の夕食内容を紹介する旨の前記メッセージを取得する。
【００６０】
転送処理部２５７は、報知処理部２５４により報知される前記健康関連情報を外部の情報処理装置に転送する。
【００６１】
記憶処理部２５８は、報知処理部２５４により報知される前記健康関連情報を記憶部２８に記憶させる。
【００６２】
一方、報知処理部２５４は、メッセージ取得部２５６により前記メッセージが取得される場合には、前記健康関連情報と共に前記メッセージを報知する。また、報知処理部２５４は、メッセージ取得部２５６により前記メッセージが取得される場合であって、過去に報知処理部２５４により報知された前記健康関連情報が記憶部２８に記憶されている場合には、前記健康関連情報及び前記メッセージと共に、記憶部２８に記憶されている前回報知された前記健康関連情報を報知する。なお、報知処理部２５４は、記憶部２８に記憶されている過去に報知された前記健康関連情報のうち、直近の複数回分の前記健康関連情報を報知してもよい。
【００６３】
［報知タイミング制御処理］
以下、図３を参照しつつ、画像処理装置２０において制御部２５により実行される報知タイミング制御処理の手順の一例について説明する。ここで、ステップＳ１１、Ｓ１２・・・は、制御部２５により実行される処理手順（ステップ）の番号を表している。
【００６４】
＜ステップＳ１１＞
まず、ステップＳ１１において、制御部２５は、前記ログイン処理が実行されて、ユーザーが画像処理装置２０にログインしているか否かを判断する。
【００６５】
ここで、制御部２５は、ユーザーが画像処理装置２０にログインしていると判断すると（Ｓ１１のＹｅｓ側）、処理をステップＳ１２に移行させる。また、ユーザーが画像処理装置２０にログインしていなければ（Ｓ１１のＮｏ側）、制御部２５は、ステップＳ１１でユーザーによる画像処理装置２０へのログインを待ち受ける。
【００６６】
＜ステップＳ１２＞
ステップＳ１２において、制御部２５は、前記特定範囲における人の存否を検出する。ここに、ステップＳ１２の処理が、本発明における第２ステップの一例であって、制御部２５の検出処理部２５３により実行される。
【００６７】
具体的に、制御部２５は、ステップＳ１１で画像処理装置２０にログインしていると判断されたユーザーに対応する携帯端末１０の存在が前記特定範囲において検出された場合に、前記特定範囲に人が存在すると判断する。
【００６８】
例えば、制御部２５は、通信部２７を制御してＢｌｕｅｔｏｏｔｈの通信方式に従った制御信号を画像処理装置２０の周囲に送出させて、Ｂｌｕｅｔｏｏｔｈの通信範囲内におけるＢｌｕｅｔｏｏｔｈ通信可能な機器を検出する。そして、制御部２５は、検出された機器から取得される前記ペアリングＩＤと、ステップＳ１１で画像処理装置２０にログインしたと判断されたユーザーの前記認証情報に対応する携帯端末１０の前記ペアリングＩＤとが一致する場合に、前記特定範囲において画像処理装置２０にログインしたと判断されたユーザーに対応する携帯端末１０の存在が検出されたと判断する。
【００６９】
ここで、制御部２５は、前記特定範囲に人が存在していると判断すると（Ｓ１２のＹｅｓ側）、処理をステップＳ１３に移行させる。また、前記特定範囲に人が存在していなければ（Ｓ１２のＮｏ側）、制御部２５は、処理をステップＳ１１に移行させる。
【００７０】
＜ステップＳ１３＞
ステップＳ１３において、制御部２５は、前記ログアウト処理が実行されて、ユーザーが画像処理装置２０からログアウトしたか否かを判断する。
【００７１】
ここで、制御部２５は、ユーザーが画像処理装置２０からログアウトしたと判断すると（Ｓ１３のＹｅｓ側）、処理をステップＳ１１に移行させる。また、ユーザーが画像処理装置２０からログアウトしていなければ（Ｓ１３のＮｏ側）、制御部２５は、処理をステップＳ１４に移行させる。
【００７２】
＜ステップＳ１４＞
ステップＳ１４において、制御部２５は、操作表示部２６に対するユーザー操作により前記印刷処理の実行が指示されたか否かを判断する。
【００７３】
ここで、制御部２５は、操作表示部２６に対するユーザー操作により前記印刷処理の実行が指示されたと判断すると（Ｓ１４のＹｅｓ側）、処理をステップＳ１５に移行させる。また、操作表示部２６に対するユーザー操作により前記印刷処理の実行が指示されていなければ（Ｓ１４のＮｏ側）、制御部２５は、処理をステップＳ１２に移行させて、前記特定範囲において人の存在が検出されなくなるまでの間、ユーザーの画像処理装置２０からのログアウト又は操作表示部２６に対するユーザー操作による前記印刷処理の実行指示を待ち受ける。
【００７４】
＜ステップＳ１５＞
ステップＳ１５において、制御部２５は、ステップＳ１４で実行が指示された前記印刷処理における印刷枚数が前記基準枚数以上であるか否かを判断する。なお、ステップＳ１５の処理は省略されてもよい。
【００７５】
ここで、制御部２５は、ステップＳ１４で実行が指示された前記印刷処理における印刷枚数が前記基準枚数以上であると判断すると（Ｓ１５のＹｅｓ側）、処理をステップＳ１６に移行させる。また、ステップＳ１４で実行が指示された前記印刷処理における印刷枚数が前記基準枚数未満であれば（Ｓ１５のＮｏ側）、制御部２５は、処理をステップＳ１２に移行させる。
【００７６】
＜ステップＳ１６＞
ステップＳ１６において、制御部２５は、以下に説明する報知処理を実行することにより、前記健康関連情報をユーザーに報知する。
【００７７】
このように、前記報知タイミング制御処理では、画像処理装置２０にログインしたユーザーが操作表示部２６を操作して前記印刷処理を実行する場合に、前記報知処理が実行される。これにより、前記印刷処理が終了するまでの間の待ち時間を利用して前記健康関連情報を報知することが可能である。
【００７８】
また、前記報知タイミング制御処理では、前記印刷処理における印刷枚数が前記基準枚数以上である場合にのみ、前記報知処理が実行される。これにより、ユーザーが報知される前記健康関連情報の内容を確認するのに十分な時間が確保される状況に限って、前記健康関連情報を報知することが可能である。
【００７９】
なお、ステップＳ１４の処理に替えて、制御部２５は、操作表示部２６に対するユーザー操作によりＡＤＦ２１の前記原稿セット部に載置されている原稿の画像読取処理が指示されたか否かを判断してもよい。この場合、制御部２５は、ステップＳ１５の処理に替えて、前記原稿セット部に載置されている原稿の枚数が予め設定された枚数以上であるか否かを判断してもよい。
【００８０】
［報知処理］
次に、図４を参照しつつ、画像処理装置２０において制御部２５によりステップＳ１６において実行される前記報知処理の手順の一例について説明する。
【００８１】
＜ステップＳ２１＞
まず、ステップＳ２１において、制御部２５は、前記報知タイミング制御処理のステップＳ１２で検出された携帯端末１０から前記健康関連情報を取得する。例えば、制御部２５は、昨日の歩数、昨晩の前記睡眠情報、検出タイミングが直近の脈拍、血圧、体重、及び前記姿勢情報を携帯端末１０から取得する。
【００８２】
なお、携帯端末１０では、予め制御部１１の健康関連情報取得部１１１によって前記健康関連情報が取得されている。ここに、制御部１１の健康関連情報取得部１１１による処理が、本発明における第１ステップの一例である。
【００８３】
＜ステップＳ２２＞
ステップＳ２２において、制御部２５は、ステップＳ２１で取得された前記健康関連情報が前記判定条件を充足するか否かを判断する。ここで、ステップＳ２２の処理は、制御部２５の判定処理部２５５により実行される。
【００８４】
例えば、制御部２５は、記憶部２８から前記健康関連情報に対応する前記判定条件を読み出して、ステップＳ２１で取得された前記健康関連情報が、記憶部２８から読み出された前記判定条件を充足するか否かを判定する。
【００８５】
ここで、制御部２５は、ステップＳ２１で取得された前記健康関連情報が前記判定条件を充足すると判断すると（Ｓ２２のＹｅｓ側）、処理をステップＳ２４に移行させる。また、ステップＳ２１で取得された前記健康関連情報が前記判定条件を充足していなければ（Ｓ２２のＮｏ側）、制御部２５は、処理をステップＳ２３に移行させる。
【００８６】
＜ステップＳ２３＞
ステップＳ２３において、制御部２５は、ステップＳ２２で判定に用いられた前記判定条件に対応する前記メッセージを記憶部２８から取得する。ここで、ステップＳ２３の処理は、制御部２５のメッセージ取得部２５６により実行される。
【００８７】
ここで、制御部２５は、一つの前記判定条件に対応する複数の前記メッセージのうち、現在の時刻に応じた内容の前記メッセージを記憶部２８から取得する。これにより、前記報知処理では、ユーザーにおいてその日のうちに実行可能な前記健康関連情報の改善に寄与する具体的方法を含む前記メッセージが報知される。
【００８８】
＜ステップＳ２４＞
ステップＳ２４において、制御部２５は、ステップＳ２１で取得された全ての前記健康関連情報についてステップＳ２２における判定が終了したか否かを判断する。
【００８９】
ここで、制御部２５は、ステップＳ２１で取得された全ての前記健康関連情報についてステップＳ２２における判定が終了したと判断すると（Ｓ２４のＹｅｓ側）、処理をステップＳ２５に移行させる。また、ステップＳ２１で取得された全ての前記健康関連情報についてステップＳ２２における判定が終了していなければ（Ｓ２４のＮｏ側）、制御部２５は、処理をステップＳ２２に移行させる。
【００９０】
＜ステップＳ２５＞
ステップＳ２５において、制御部２５は、ステップＳ２１で取得された前記健康関連情報を報知する。ここに、ステップＳ２５の処理が、本発明における第３ステップの一例であって、制御部２５の報知処理部２５４により実行される。
【００９１】
ここで、制御部２５は、ステップＳ２３で前記メッセージが取得された場合には、前記健康関連情報と共に前記メッセージを報知する。これにより、ユーザーにおいて報知される前記健康関連情報によって示される自己の健康状態の良否を判断する手間、及び前記健康関連情報の改善に寄与する具体的方法を検討する手間を省くことが可能である。
【００９２】
また、制御部２５は、ステップＳ２３で前記メッセージが取得された場合であって、過去に前記報知処理で報知された前記健康関連情報が記憶部２８に記憶されている場合には、前記健康関連情報及び前記メッセージと共に、記憶部２８に記憶されている前回報知された前記健康関連情報を報知する。なお、制御部２５は、記憶部２８に記憶されている過去に報知された前記健康関連情報のうち、直近の複数回分の前記健康関連情報を報知してもよい。これにより、ユーザーにおいて前記判定条件を充足しないと判定された前記健康関連情報について、過去の報知内容を検索する手間を省くことが可能である。
【００９３】
例えば、制御部２５は、ステップＳ２１で取得された前記健康関連情報を操作表示部２６に表示させて報知する。なお、制御部２５は、取得された前記健康関連情報をシートに印刷して報知してもよい。また、制御部２５は、前記印刷処理において片面印刷が行われる場合に、画像が印刷されないシートの裏面に前記健康関連情報を印刷してもよい。また、制御部２５は、操作表示部２６に対するユーザーの選択操作に応じて、上記いずれかの方法により前記健康関連情報を報知してもよい。
【００９４】
＜ステップＳ２６＞
ステップＳ２６において、制御部２５は、ステップＳ２５で報知された前記健康関連情報を外部の情報処理装置に転送する。これにより、前記外部の情報処理装置において複数のユーザーの前記健康管理情報を一元的に管理することが可能である。
【００９５】
＜ステップＳ２７＞
ステップＳ２７において、制御部２５は、ステップＳ２５で報知された前記健康関連情報を記憶部２８に記憶させる。
【００９６】
なお、前記報知処理において、ステップＳ２２からステップＳ２４までの処理は省略されてもよい。また、前記報知処理において、ステップＳ２６の処理及びステップＳ２７の処理のいずれか一方又は両方は省略されてもよい。
【００９７】
このように、情報処理システム１００では、ユーザーが画像処理装置２０にログインした場合に、画像処理装置２０から予め定められた前記特定範囲における人の存否が検出される。そして、人の存在が検出された場合に、ログインしたユーザーに対応する前記健康関連情報が報知される。これにより、情報処理システム１００では、画像処理装置２０の使用時間を利用して前記健康関連情報を報知することが可能である。
【００９８】
なお、画像処理装置２０の報知処理部２５４は、検出処理部２５３によって人の存在が検出された場合に、画像処理装置２０にログインするユーザーに対応する前記健康関連情報を、画像処理装置２０にログインするユーザーに予め対応付けられた携帯端末１０に報知させてもよい。この場合、携帯端末１０の制御部１１が、判定処理部２５５、メッセージ取得部２５６、転送処理部２５７、及び記憶処理部２５８を備える構成が他の実施形態として考えられる。
【００９９】
具体的に、前記他の実施形態において、報知処理部２５４は、検出処理部２５３によって前記特定範囲において画像処理装置２０にログインするユーザーに対応する携帯端末１０の存在が検出された場合に、検出された携帯端末１０に前記健康関連情報の報知を指示する。例えば、携帯端末１０の制御部１１は、報知処理部２５４からの指示を受けた場合に、記憶部１４に記憶されている前記健康関連情報を操作表示部１２に表示させて報知する。
【０１００】
また、情報処理システム１００は、携帯端末１０及び画像処理装置２０とデータ通信を実行可能なサーバーを備えていてもよい。この場合、前記サーバーが、健康状態取得部１１１、検出処理部２５３、報知処理部２５４、判定処理部２５５、メッセージ取得部２５６、転送処理部２５７、及び記憶処理部２５８のいずれか一つ又は複数を備える構成が他の実施形態として考えられる。
【符号の説明】
【０１０１】
１０：携帯端末
１１：制御部
１１１：健康状態取得部
１２：操作表示部
１３：通信部
１４：記憶部
２０：画像処理装置
２１：ＡＤＦ
２２：画像読取部
２３：画像形成部
２４：給紙部
２５：制御部
２５１：認証処理部
２５２：印刷処理部
２５３：検出処理部
２５４：報知処理部
２５５：判定処理部
２５６：メッセージ取得部
２５７：転送処理部
２５８：記憶処理部
２６：操作表示部
２７：通信部
２８：記憶部
１００：情報処理システム
【図１】
2017046220.tif 000003
【図２】
2017046220.tif 000004
【図３】
2017046220.tif 000005
【図４】
2017046220.tif 000006